(57)【特許請求の範囲】
【請求項１】
屋内側に内窓枠を有する新設の出窓を、当該内窓枠に設けた挟持手段により、建物の開口部に設けた既設窓枠に取り付ける出窓の取付構造であって、
前記挟持手段は、前記既設窓枠の屋外側の面に当接する部位を有する外側挟持部材と、
前記既設窓枠の屋内側の面に当接する部位を有する内側挟持部材と、
前記外側挟持部材および前記内側挟持部材に係合し、前記外側挟持部材を前記内側挟持部材側に引き寄せて前記既設窓枠を見込み方向に挟持させる締結部材とを備えたことを特徴とする出窓の取付構造。
【請求項２】
前記外側挟持部材は、前記内窓枠に形成され前記既設窓枠に当接する窓枠当接片と、
一端を前記内窓枠に固定され他端を締結部材に係合するブラケットとを有することを特徴とする請求項１に記載の出窓の取付構造。
【請求項３】
前記ブラケットは、固定ボルトを介して前記内窓枠に固定されており、
前記固定ボルトの雄ねじは、前記内窓枠に固着されると共に前記ブラケットを貫通して屋内側に水平に延び、
前記固定ボルトの雌ねじは、屋内側から前記雄ねじに締結可能に構成されていることを特徴とする請求項２に記載の出窓の取付構造。
【請求項４】
前記窓枠当接片は、前記内窓枠の四周に亘って形成されており、
前記窓枠当接片は、シール部材を介在させた状態で前記既設窓枠に水密に当接していることを特徴とする請求項２または３に記載の出窓の取付構造。
【請求項５】
前記外側挟持部材は、前記ブラケットを貫通して前記開口部のコンクリート躯体まで延びるアンカーボルトを、更に有することを特徴とする請求項２、３または４に記載の出窓の取付構造。
【請求項６】
前記内側挟持部材は、一端を前記内窓枠に固定され、他端を前記既設窓枠を越えて当該既設窓枠に当接すると共に前記締結部材に係合し、
前記外側挟持部材は、一端を前記既設窓枠に当接し他端を前記締結部材に係合することを特徴とする請求項１に記載の出窓の取付構造。
【請求項７】
前記締結部材は、屋内側から締結操作可能なボルト・ナットで構成されていることを特徴とする請求項１ないし６のいずれかに記載の出窓の取付構造。
【請求項８】
前記内窓枠の外周面に取り付けられ、先端部を前記開口部の内面に密接するシール片を、更に備えたことを特徴とする請求項１ないし７のいずれかに記載の出窓の取付構造。
【請求項９】
前記挟持手段と前記既設窓枠との間に介設した当て板を、更に備えたことを特徴とする請求項１ないし８のいずれかに記載の出窓の取付構造。
【請求項１０】
前記出窓は、屋外側に突出する下部持出し枠と当該下部持出し枠に装着した台板とで下面を画成しており、
前記台板は、その下面周縁部にシール部材を介在させた状態で前記下部持出し枠に屋内側から着脱可能に装着され、且つ上面を屋内側に露出すると共に下面を屋外側に露出していることを特徴とする請求項１ないし９のいずれかに記載の出窓の取付構造。
【発明の詳細な説明】
【０００１】
【発明の属する技術分野】
本発明は、出窓、および既設窓枠への出窓の取付構造に関するものである。
【０００２】
【従来の技術】
従来、この種の出窓および出窓の取付構造として、例えば実公平６−１９７４８号公報に記載のものが知られている。この取付構造では、新設出窓の屋内側に設けた内窓枠に連結板を固着し、内窓枠を既設窓枠に当接した状態でこの連結板を建物の外壁にビス止めして、出窓を建物の開口部に取り付けるようにしている。そして、この状態では、下地板の上面と既設窓枠の下枠の上面とが面一となり、且つ新設出窓の天板の下面と既設窓枠の上枠の下面とが面一となる。
一方、出窓の下面を画成する下部持出し枠には、地板が水密に装着されると共に地板の上面には化粧版が重ねて配設されており、屋内側に化粧版の上面が露出し屋外側に地板の下面が露出している。
【０００３】
【発明が解決しようとする課題】
このような従来の出窓の取付構造では、新設出窓を連結板を介して建物の外壁にビス止めしているため、新設出窓と既設窓枠との位置決め作業を含め、取付け作業に手間がかかると共に施工時間が長くなる問題があった
一方、下部持出し枠の部分では、化粧版と地板との２重構造になっているため、部品点数が増加し組立に手間がかかると共に、コスト高になる問題があった。
【０００４】
本発明は、出窓を既設窓枠に簡単且つ迅速に取り付けることができる出窓の取付構造を提供することをその目的としている。
【０００５】
【課題を解決するための手段】
本発明の出窓の取付構造は、屋内側に内窓枠を有する新設の出窓を、内窓枠に設けた挟持手段により、建物の開口部に設けた既設窓枠に取り付ける出窓の取付構造であって、挟持手段は、既設窓枠の屋外側の面に当接する部位を有する外側挟持部材と、既設窓枠の屋内側の面に当接する部位を有する内側挟持部材と、外側挟持部材および内側挟持部材に係合し、外側挟持部材を内側挟持部材側に引き寄せて既設窓枠を見込み方向に挟持させる締結部材とを備えたことを特徴とする。
【０００６】
この構成によれば、建物の開口部に設けた既設窓枠に対し、新設の出窓をその内窓枠の部分で位置決めし、この状態で、挟持手段の外側挟持部材を既設窓枠の屋外側の面に当接すると共に、内側挟持部材を既設窓枠の屋外側の面に当接し、さらに締結部材により、外側挟持部材と内側挟持部材とを締結することで、新設の出窓が既設窓枠に取り付けられる。この場合、既設窓枠を見込み方向から挟み込んだ外側挟持部材と内側挟持部材とを締結するだけで、新設の出窓が既設窓枠に取り付けられるため、既設窓枠を有効に活用することができると共に、出窓を簡単且つ迅速に取り付けることができる。
【０００７】
この場合、外側挟持部材は、内窓枠に形成され既設窓枠に当接する窓枠当接片と、一端を内窓枠に固定され他端を締結部材に係合するブラケットとを有することが、好ましい。
【０００８】
この構成によれば、既設窓枠に当接する内窓枠の窓枠当接片と、締結部材に係合するブラケットとを別体とし、締結部材による挟持力をブラケットを介して窓枠当接片に作用させることができるため、挟持力を窓枠当接片に均一に作用させることができる。
【０００９】
この場合、ブラケットは、固定ボルトを介して内窓枠に固定されており、固定ボルトの雄ねじは、内窓枠に固着されると共にブラケットを貫通して屋内側に水平に延び、固定ボルトの雌ねじは、屋内側から雄ねじに締結可能に構成されていることが、好ましい。
【００１０】
この構成によれば、ブラケットと内側挟持部材とを、予め既設窓枠に締結しておいて、出窓を固定ボルトを介してブラケットに取り付ける取付方法をとることができ、出窓をより一層簡単且つ迅速に取り付けることができる。
【００１１】
これらの場合、窓枠当接片は、内窓枠の四周に亘って形成されており、窓枠当接片は、シール部材を介在させた状態で既設窓枠に水密に当接していることが、好ましい。
【００１２】
この構成によれば、窓枠当接片に作用する挟持力を利用して、窓枠当接片と既設窓枠との間に介在させたシール部材を強く押圧することができるため、新設の出窓と既設窓枠との間のシール性を向上させることができる。
【００１３】
これらの場合、外側挟持部材は、ブラケットを貫通して開口部のコンクリート躯体まで延びるアンカーボルトを、更に有することが好ましい。
【００１４】
この構成によれば、腐食などにより既設窓枠が強度低下し、新設の窓枠を取り付けるのに不十分であっても、ブラケットを介してコンクリート躯体に打ち込んだアンカーボルトにより、新設の窓枠を十分な強度をもって建物の開口部に取り付けることができる。
【００１５】
また、内側挟持部材は、一端を内窓枠に固定され、他端を既設窓枠を越えて既設窓枠に当接すると共に締結部材に係合し、外側挟持部材は、一端を既設窓枠に当接し他端を締結部材に係合することが、好ましい。
【００１６】
この構成によれば、内窓枠に固定に固定した内側挟持部材により、出窓を既設窓枠に掛け止めしておくことができるため、出窓をより一層、簡単且つ迅速に取り付けることができる。
【００１７】
これらの場合、締結部材は、屋内側から締結操作可能なボルト・ナットで構成されていることが、好ましい。
【００１８】
この構成によれば、屋内側からボルト・ナットをねじ込むことで、締結部材の締結操作を簡単に行うことができる。また、外側挟持部材と内側挟持部材との離間幅が既設窓枠の見込み幅より幾分広くなるように、予めボルト・ナットを仮締めしておけば、締結操作をより一層、簡単且つ迅速に行うことができる。
【００１９】
これらの場合、内窓枠の外周面に取り付けられ、先端部を開口部の内面に密接するシール片を、更に備えることが好ましい。
【００２０】
この構成によれば、新設の出窓を既設窓枠に取り付ける作業と、新設の出窓および既設窓枠間のシール作業とを同時に行うことができる。特に、湿式シール材で、出窓および既設窓枠間のシールを行う場合に比して、シール作業を簡単かつ迅速に行うことができるだけでなく、既設の庇などでシール作業が不可能な部分にも、確実にシールを行うことができる。
【００２１】
これらの場合、挟持手段と既設窓枠との間に介設した当て板を、更に備えることが好ましい。
【００２２】
この構成によれば、当て板により、既設窓枠に形成したレール部などの凹凸を覆うことができ、挟持手段を既設窓枠に安定した姿勢で添設させることができる。また、水返し部を有する下枠などに添設する当て板では、挟持手段が安定に添設できるように、適宜折り曲げたものにすることが好ましい。すなわち、既設窓枠に対し、当て板を介して新設の出窓を取り付けることができる。
【００２３】
これらの場合、出窓は、屋外側に突出する下部持出し枠と下部持出し枠に装着した台板とで下面を画成しており、台板は、その下面周縁部にシール部材を介在させた状態で下部持出し枠に屋内側から着脱可能に装着され、且つ上面を屋内側に露出すると共に下面を屋外側に露出していることが、好ましい。
【００２４】
この構成によれば、単一の台板により、出窓の床板と外板を構成することができ、且つ必要に応じて台板を屋内側から取り外すことができる。また、台板の下面周縁部と下部持出し枠との間に介在させたシール部材により、出窓のシール性を維持することができる。
【００２７】
【発明の実施の形態】
以下、添付の図面を参照して、本発明の一実施形態に係る出窓および出窓の取付構造について説明する。この出窓は、既設の窓の改修用に開発したものであり、建物の開口部に設けたスチール製の既設窓枠を利用し、これに取り付けられるようになっている。図１は出窓の斜視図であり、同図に示すように、この出窓１は、前面に手摺り２を取り付けた出窓本体３と、出窓本体３の下側に垂設した屋外機収容部４とで構成されている。出窓本体３は、その内部にウィンドエアコン５が設置可能に構成され（図２参照）、また屋外機収容部４には、窓据付け型および壁据付け型を問わず、エアコンの屋外機が収容可能に構成されている。そして、出窓本体３の屋内側には、出窓１を既設窓枠Ｓに取り付けるための複数の取付金具（挟持手段）６が設けられている。
【００２８】
図２ないし図６に示すように、出窓本体３は、屋外側の左右一対の方立１１，１１と、屋内側の左右一対の縦枠１２，１２とで鉛直方向の構造材が構成されている。また、一対の方立１１，１１間に渡した上外枠１３および下外枠１４と、一対の縦枠１２，１２間に渡した上内枠１５および下内枠１６とで水平方向の構造材が構成され、さらに左右の各方立１１および各縦枠１２間にそれぞれ渡した左右一対の上枠１７，１７および下枠１８，１８で前後方向の構造材が構成されている。
【００２９】
そして、四周を枠組みした上内枠１５、下内枠１６および両縦枠１２，１２により内窓枠２１が構成され、この内窓枠２１の部分で、出窓１が上記の取付金具６を介して既設窓枠Ｓに取り付けられている。また、上外枠１３、下外枠１４および両方立１１，１１により外窓枠２２が構成され、この外窓枠２２には引違いの２枚障子２３が組み込まれている。同様に、上外枠１３、上内枠１５および両上枠１７，１７により上部持出し枠２４が、また下外枠１４、下内枠１６および両下枠１８，１８により下部持出し枠２５が、構成されている。さらに、方立１１、縦枠１２、上枠１７および下枠１８により、左右一対の側部持出し枠２６，２６が構成されている。
【００３０】
正面から見て左側の側部持出し枠２６には、横桟２７を介して上部に上嵌殺し窓２８が組み込まれ、下部に上記のウィンドエアコン５が組み込まれている。また、右側の側部持出し枠２６には、横桟２７を介して上部に上嵌殺し窓２８が組み込まれ、下部に下嵌殺し窓２９が組み込まれている（いずれも図２、図５および図６参照）。さらに、各側部持出し枠２６の屋内側には、縦額縁板３０が装着されている。一方、外窓枠２２には、外障子２３ａと内障子２３ｂとから成る２枚障子２３が組み込まれており、内障子２３ｂの上部には、欄間形式の小窓３１が組み込まれている（図２、図３および図４参照）。
【００３１】
さらに、上部持出し枠２４には、外側に屋根板３３が取り付けられ、内側に天板３４および上額縁板３５が取り付けられている。屋根板３３は、適宜勾配を有しており、建物の庇Ａの下側に配設されている（図３および図５参照）。下部持出し枠２９には、出窓本体３の下面を画成する台板７が組み込まれ、且つその屋内側には、台板７の上面と面一となるように下額縁板３６が取り付けられている。また、下部持出し枠には、複数のブラケットを介して、屋外機収容部が垂設されている。屋外機収容部４は、形材を直方体形状のかご状に組んで構成されており、前面には目隠しとしてパンチングメタル８が取り付けられている（図１、図４および図６参照）。
【００３２】
次に、出窓１の取付構造および上記の台板７廻りの構造について、詳細に説明する。図３、図４および図６に示すように、台板７は、下部持出し枠２９の内周縁を構成するアタッチメント枠４１に装着され、且つこのアタッチメント枠４１に着脱可能にねじ止めされている。アタッチメント枠４１は、下外枠１４の内側に固定した前枠４２と、下内枠１６の内側に固定した後枠４３と、各下枠１８の内側に固定した一対の側枠４４，４４と、下外枠１４および下内枠１６間に掛け渡した中間枠４５とで、構成されている。中間枠４５は、ウィンドエアコン５側に寄った位置に側枠４４と平行に配設されており、アタッチメント枠４１を２つの領域に区画している。
【００３３】
一方、台板７は、中間枠４５を隔ててアタッチメント枠４１の右部に装着した主台板７ａと、左部に装着した副台板７ｂとで構成されており、副台板７ｂはウィンドエアコン５の直下に位置している。主台板７ａは、屋外機収容部４の蓋体を兼ねており、上面にはこれを屋内側に取り外すための取っ手４６が設けられている。主台板７ａおよび副台板７ｂは、それぞれ四周を縁取る心材５１と心材５１の内部空間に充填した断熱材５２とを、表面板５３および裏面板５４でサンドイッチして構成されている。
【００３４】
この場合、表面板５３は裏面板５４より一回り大きく形成されており、アタッチメント枠４１の上内向き片４１ａに着座した状態で、これにねじ止めされている。一方、裏面板５４の下面周縁部には、帯状のシール部材４７が四周に亘って取り付けられており、台板７を上内向き片４１ａに固定した状態で、このシール部材４７がアタッチメント枠４１の下内向き片４１ｂに密接するようになっている。表面板５３は、屋内側に露出させるべく化粧板などで構成され、裏面板５４は、屋外側に露出させるべく耐水板などで構成されている。
【００３５】
このような構成では、出窓本体３の下面を画成する部材が、シール部材４７を介在させた単一の台板（主台板７ａおよび副台板７ｂ）７で構成されているため、従来の２枚板構造のものに比して、シール性を損なうことなく、構造を単純化することができる。なお、シール部材４７は鰭状のものであってもよいし、２重に巡らしてもよい。
【００３６】
次に、図２、図３および図４を参照して、出窓１の取付構造について説明する。上述したように、出窓本体（出窓１）３は、複数の取付金具６を用いて、その内窓枠２１の部分で既設窓枠Ｓに取り付けられている。取付金具６には、上内枠１５の部位に用いる上挟持部材６１と、下内枠１６の部位に用いる下挟持部材６２と、各縦枠１２の部位に用いる縦挟持部材６３とが、用意されている。そして、各部位１５，１６，１２は、それぞれ３個の挟持部材６１，６２，６３で既設窓枠Ｓに固定されている。なお、出窓１を既設窓枠Ｓに取り付けるのは、既設窓枠Ｓを撤去する場合に比して、改修工事を短期間で且つ低コストで行うことができるためである。
【００３７】
図３に示すように、上内枠１５は、内枠本体７１と、内枠本体７１から上方に延び上記の屋根板３３が取り付けられた起立片部７２と、内枠本体７１から下方に延び上記の天板３４および上額縁板３５が取り付けられた垂下片部７３と、内枠本体７１から屋内側に延び既設窓枠Ｓに当接する当接片部７４とで一体に形成されている。内枠本体７１の前面には左右一対の補強部材７５，７５が配設されており、各補強部材７５の前部には上外枠１３が、側部には上枠１７がそれぞれねじ止めされている。起立片部７２の前部には、屋根板３３の後端が水密に装着され、上面には、先端部を上記の庇Ａに密接するシール片７６が取り付けられている。シール片７６は二股に形成されており、このシール片７６により、庇Ａの下面との間、すなわち建物の開口部Ｂと上内枠１５との間がシールされている。
【００３８】
当接片部７４は、既設窓枠Ｓ側で上方に屈曲し、この屈曲部位７４ａで窓枠シール部材７７を介して、既設窓枠Ｓの屋外側の面に当接している。すなわち、この窓枠シール部材７７と上記のシール片７６とにより、出窓本体３の既設窓枠Ｓへの取付け部分が２重にシールされている。一方、上挟持部材６１は、内枠本体７１に固定したリブ付きの外側ブラケット（外側挟持部材）８１と、外側ブラケット８１に対峙するリブ付きの内側挟持片（内側挟持部材）８２と、外側ブラケット８１および内側挟持片８２を相互に締結するボルト・ナット８３と、を備えている。
【００３９】
外側ブラケット８１は、内枠本体７１および当接片部７４に添うようにして屋内側に屈曲して延びており、先端の屈曲部分には、ボルト・ナット８３のボルト８３ａが固着されている。外側ブラケット８１の基部は、固定ボルト８４により、上記の補強部材７５と共に内枠本体７１に共締めされている。すなわち、外側ブラケット８１と内枠本体７１から延びる当接片部７４とにより、外側挟持部材が構成されている。なお、固定ボルト８４のボルト８４ａは、補強部材７５に固着されている。内側挟持片８２は、クランク状に屈曲形成され、基部側で既設窓枠Ｓの屋内側の面および下面に当接している。また、内側挟持片８２の先端部には、ボルト・ナット８３のボルト８３ａが貫通している。そして、この先端部を挟んでボルト８３ａには、締結ナット８３ｂと緩止めを兼ねる転止めナット８３ｃとが螺合している。
【００４０】
すなわち、屋内側から締結ナット８３ｂを締め付けることにより、上内枠１５の当接片部７４が内側挟持片８２側に引き寄せられて、既設窓枠Ｓが挟持され、これにより、上内枠１５が既設窓枠Ｓに固定される。またこのとき、上記の窓枠シール部材７７が既設窓枠Ｓに強く押圧され、この部分が確実にシールされる。なお、図中の符号８６は、既設窓枠Ｓの下面に添設した上当て板であり、上当て板８６は、外側ブラケット８１および内側挟持片８２と、既設窓枠Ｓとの間に介設され、ボルト・ナット８３により締結された外側ブラケット８１および内側挟持片８２と共に、既設窓枠Ｓにねじ止めされている。これにより、既設窓枠Ｓの下面開口が平坦に閉塞され、且つ挟持の際に既設窓枠Ｓが変形するのを防止している。そして、このように構成された上挟持部材６１は、上記の上額縁板３５で覆われ上額縁板３５の内側に隠蔽されている。
【００４１】
図７は、上挟持部材６１の変形例を示している。この変形例では、外側ブラケット８１が既設窓枠Ｓを越えて屋内側に延びており、その先端部の上向き片８１ａが既設窓枠Ｓの屋内側の面に当接している。一方、内側挟持片８２は、外側ブラケット８１の下面に固着され、また内側挟持片８２には、基端部を既設窓枠Ｓの屋外側の面に当接した外側挟持片８８が対峙している。すなわち、外側挟持片８８と内側挟持片８２との相互間にボルト・ナット８３が取り付けられており、ボルト・ナット８３の締結ナット８３ｂを締め付けることにより、外側挟持片８８が内側挟持片８２側に引き付けられて、既設窓枠Ｓが挟持される。
【００４２】
この場合には、出窓本体３を外側ブラケット８１を介して、予め既設窓枠Ｓに掛け止めしておくことができるため、出窓本体３を簡単に取り付けることができる。なお、外側ブラケット８１と内側挟持片８２とはほぼ同幅に形成されているが、外側挟持片８８は十分に幅広に形成されており、外側ブラケット８１は外側挟持片８８に形成したスリット８８ａを貫通して延在している。
【００４３】
図４に示すように、下内枠１６は、内枠本体９１と、内枠本体９１の上端から水平に屋外側に延び上記のアタッチメント枠（後枠４３）４１が取り付けられた枠取付片部９２と、内枠本体９１の下端から水平に屋内側に延び既設窓枠Ｓに当接する当接片部９３とで一体に形成されている。内枠本体９１の前面には左右一対の補強部材９４，９４が配設されており、この補強部材９４は、屋外機収容部４の垂下するための構造材を兼ねている。枠取付片部９２には、アタッチメント枠４１の後枠４３が着座しており、この状態で枠取付片部９２および後枠４３は、上記の補強部材９４にねじ止めされている。当接片部９３の下面には、先端部を建物の開口部（水切り部）Ｂに密接するシール片７６が取り付けられて、このシール片７６により、建物の開口部Ｂと下内枠１６との間がシールされている。
【００４４】
当接片部９３の先端部は上向きに屈曲しており、この屈曲部位で窓枠シール部材７７を介して、既設窓枠Ｓの屋外側の面に当接している。すなわち、この窓枠シール部材７７と上記のシール片７６とにより、出窓本体３の既設窓枠Ｓへの取付け部分が２重にシールされている。一方、下挟持部材６２は、内枠本体９１に固定した外側ブラケット１０１と、外側ブラケット１０１の上面に固着したリブ付きの外側挟持片１０２と、外側挟持片１０２に対峙するリブ付きの内側挟持片１０３と、外側挟持片１０２および内側挟持片１０３を相互に締結するボルト・ナット１０４と、を備えている。また、外側ブラケット１０１の下端部には、下内枠１６の当接片部（屈曲部位）９３の背面に突き当てた突当て片１０５が固着されている。さらに、既設窓枠Ｓには、これを覆うように屈曲させた下当て板１０６がねじ止めされている。
【００４５】
下当て板１０６の上面には、屋内側の部位に段部１０６ａが形成され、この段部１０６ａの屋内側の面に内側挟持片１０３が当接している。そして、外側挟持片１０２には、ボルト・ナット１０４のボルト１０４ａが固着され、また内側挟持片１０３を貫通したボルト１０４ａには、内側挟持片１０３を挟み込むように、締結ナット１０４ｂと緩止めを兼ねる転止めナット１０４ｃとが螺合している。一方、外側ブラケット１０１の基部は、固定ボルト１０７により、上記の補強部材９４と共に内枠本体９１に共締めされている。すなわち、外側ブラケット１０１と外側挟持片１０２と当接片部９３とにより、外側挟持部材が構成されている。この場合も、固定ボルト１０７のボルト１０７ａは、補強部材９４に固着されている。
【００４６】
屋内側から締結ナット１０４ｂを締め付けることにより、下内枠１６の当接片部９３が内側挟持片１０３側に引き寄せられ、下当て板１０６を介して既設窓枠Ｓが挟持される。これにより、下内枠１６が既設窓枠Ｓに固定される。またこのとき、上記の窓枠シール部材７７が既設窓枠Ｓに強く押圧され、この部分が確実にシールされる。なお、外側挟持片１０２および内側挟持片１０３は、締結後、適宜下当て板１０６にねじ止めされる。そして、下挟持部材６２は、一端をアタッチメント枠（後枠４３）４１にねじ止めした上記の下額縁板３６で覆われている。
【００４７】
図２に示すように、各縦枠１２は、上記の嵌殺し窓２８，２９およびウィンドエアコン５を取り付けるために断面「コ」字状に形成した縦枠本体１１１と、縦枠本体１１１の外端から屋外側に延び既設窓枠Ｓに当接する当接片部１１２とで一体に形成されている。縦枠本体１１１の前面には、嵌殺し窓２８，２９の框体１１３が水密に嵌合している。当接片部１１２の外側面には、先端部を建物の開口部Ｂに密接するシール片７６が取り付けられて、このシール片７６により、建物の開口部Ｂと縦枠１２との間がシールされている。
【００４８】
当接片部１１２の先端部は、外方に屈曲しており、この屈曲部位で窓枠シール部材７７を介して、既設窓枠Ｓの屋外側の面に当接している。すなわち、この窓枠シール部材７７と上記のシール片７６とにより、出窓本体３の既設窓枠Ｓへの取付け部分が２重にシールされている。一方、縦挟持部材６３は、縦枠本体１１１に固定した外側ブラケット１２１と、外側ブラケット１２１に対峙する内側挟持片１２２と、外側ブラケット１２１および内側挟持片１２２を相互に締結するボルト・ナット１２３と、を備えている。
【００４９】
外側ブラケット１２１は、縦枠本体１１１および当接片部１１２に添うようにして屋内側に屈曲して延びており、先端の屈曲部分には、ボルト・ナット１２３のボルト１２３ａが固着されている。外側ブラケット１２１の基部は、頭部を上記の框体１１３に形成したあり溝に固定した固定ボルト１２４により、縦枠本体１１１を挟むようにして、これに固定されている。すなわち、外側ブラケット１２１と縦枠本体１１１から延びる当接片部１１２とにより、外側挟持部材が構成されている。内側挟持片１２２は、クランク状に屈曲形成され、基部側で既設窓枠Ｓの屋内側の面に当接している。また、内側挟持片１２２の先端部には、ボルト・ナット１２３のボルト１２３ａが貫通している。そして、この先端部を挟んでボルト１２３ａには、締結ナット１２３ｂと緩止めを兼ねる転止めナット１２３ｃとが螺合している。
【００５０】
屋内側から締結ナット１２３ｂを締め付けることにより、縦枠１２の当接片部１１２が内側挟持片１２２側に引き寄せられて、既設窓枠Ｓが挟持され、これにより、縦枠１２が既設窓枠Ｓに固定される。またこのとき、上記の窓枠シール部材７７が既設窓枠Ｓに強く押圧され、この部分が確実にシールされる。なお、図中の符号１２５は、既設窓枠Ｓの内面に添設した縦当て板である。また、符号１２６はアンカーボルトであり、アンカーボルト１２６は、外側ブラケット１２１を貫通して開口部Ｂのコンクリート躯体Ｃまで延びている。これにより、出窓本体３は建物の開口部Ｂに強固に取り付けられている。そして、縦挟持部材６３は、上記の縦額縁板３０で覆われている。なお、上記の上挟持部材６１および下挟持部材６２にも、同様の形態でアンカーボルト１２６を設けることが、好ましい。
【００５１】
ここで、図８を参照して、本実施形態の出窓１の取付方法について簡単に説明する。この出窓１の取付方法では、居住者が使用している既設の共同住宅において、その任意の１の住戸に対して出窓１を取り付けることを前提としている。そして、出窓１は、これが取り付けられるべき既設の窓（開口部Ｂ）を利用して、足場無しで搬入される。すなわち、建物の開口部Ｂには、予め既設窓枠Ｓにウィンチハンガー１３１を着脱自在に固定しておき、且つウィンチハンガー１３１には前後方向に移動自在に電動ウィンチ１３２を吊下しておく。
【００５２】
また、既設窓枠Ｓには、予め所定数の上挟持部材６１、下挟持部材６２および両縦挟持部材６３が、それぞれ本固定の状態で取り付ておく。一方、出窓１は、上額縁板３５、下額縁板３６、両縦額縁板３０，３０、２枚障子２３、台板７およびウィンドエアコン５などを外した状態で、出窓本体３と屋外機収容部４とを予め工場で組み立てておいて、現場まで運搬する。また同時に、出窓１の内部に吊上げ治具１３３を取り付けておく。この状態で出窓１を、これが取り付けられる開口部Ｂの直下に運び込み、電動ウィンチ１３２と吊上げ治具１３３との間に玉掛け用のチェーン１３４を掛け渡す。
【００５３】
次に、電動ウィンチ１３２により出窓１を吊り上げてゆくが、このとき出窓１を幾分前倒しの姿勢で吊り上げてゆく。もちろん、地上からはカイシャクロープ１３５，１３５により、出窓１の揺れを防止する。この場合、出窓１はその屋根部分１ａがウィンチハンガー１３１を越える位置まで吊り上げる。ここで、電動ウィンチ１３２と共に出窓１を既設窓枠Ｓ側に引き寄せ、且つ出窓１の屋根部分１ａが庇Ａに衝突しないように、出窓１をわずかに下降させながら鉛直姿勢にする。そして、出窓１をウィンチハンガー１３１に載せるようにしてから、ウィンチハンガー１３１に案内させて、再度を出窓１を既設窓枠Ｓ側に引き寄せる。ここで、出窓１の微小な位置合わせを行い、各固定ボルト８４，１０７，１２４を外側ブラケット８１，１０１，１２１に挿通させる。
【００５４】
次に、屋内側から各固定ボルト８４，１０７，１２４のナット８４ｂ，１０７ｂ，１２４ｂを螺合して、出窓１を各挟持部材６１，６２，６３に締結する。そして、カイシャクロープ１３５や玉掛け用のチェーン１３４を外すと共に、ウィンチハンガー１３１から電動ウィンチ１３２を外す。さらに、既設窓枠Ｓからウィンチハンガー１３１を外すと共に、出窓１から吊上げ治具１３３を外す。そして最後に、ウィンドエアコン５および屋外機を装着すると共に、出窓１に２枚障子２３および台板７を組み込む。
【００５５】
以上のように、本実施形態によれば、出窓１を既設窓枠Ｓに挟持固定するようにしているため、既設の開口部Ｂ側はその障子を撤去するだけで特別な改修工事が一切不要となり、且つ新設の出窓１を簡単且つ迅速に取り付けることができる。またその際、各挟持部材６１，６２，６３を予め既設窓枠Ｓに固定しておき、固定ボルト８４，１０７，１２４と外側ブラケット８１，１０１，１２１との間で実際の締結作業が行われるため、より一層出窓１を簡単且つ迅速に取り付けることができる。また、既設窓枠Ｓの挟持部分に窓枠シール部材７７を介設することにより、その挟持力を利用して窓枠シール部材７７を既設窓枠Ｓに強く押しつけることができる。さらに、内窓枠２１の四周に、開口部Ｂに密接するシール片７６を設けることにより、出窓１を既設窓枠Ｓに取り付けることでシール片７６を適切に介設することができ、出窓１と開口部Ｂとの間の止水性を向上させることができる。
【００５６】
一方、出窓１を、この出窓１が取り付けられる開口部（既設窓枠Ｓ）Ｂに設置した電動ウィンチ１３２で吊り上げるようにしているため、改修工事用の足場を組む必要が無く、且つ階下や隣接する住戸がこの改修工事の影響を受けることがない。
【００５７】
なお、この実施形態では、各挟持部材を予め既設窓枠に固定しておき、固定ボルトと外側ブラケットの間で実際の締結作業（取付作業）を行うようにしているが、逆に固定ボルトと外側ブラケットを予め締結しておき、各挟持部材の部分で実際の締結作業が行うようにしてもよい。かかる場合には、出窓の位置決めを簡単に行うことができる。
【００５８】
【発明の効果】
以上のように本発明の出窓の取付構造によれば、既設窓枠を見込み方向から挟み込んだ外側挟持部材と内側挟持部材とを締結するだけで、新設の出窓が既設窓枠に取り付けられるため、既設窓枠を活用することができると共に、出窓を簡単且つ迅速に取り付けることができる。
【図面の簡単な説明】
【図１】本発明の一実施形態に係る出窓の外観斜視図である。
【図２】実施形態に係る出窓の裁断平面図である。
【図３】実施形態に係る出窓の上部の裁断側面図である。
【図４】実施形態に係る出窓の下部の裁断側面図である。
【図５】実施形態に係る出窓の上部の裁断正面図である。
【図６】実施形態に係る出窓の下部の裁断正面図である。
【図７】変形例に係る出窓の上部の裁断側面図である。
【図８】実施形態に係る出窓の取付方法を表した説明図である。
【符号の説明】
１  出窓                              ３  出窓本体
４  屋外機収容部                      ６  取付金具
７  台板                            ７ａ  主台板
７ｂ  副台板                          １２  縦枠
１５  上内枠                          １６  下内枠
２１  内窓枠                          ２５  下部持出し枠
４１  アタッチメント枠                ４７  シール部材
６１  上挟持部材                      ６２  下挟持部材
６３  縦挟持部材                      ７４  当接片部
７６  シール片                        ７７  窓枠シール部材
８１  外側ブラケット                  ８２  内側挟持片
８３  ボルト・ナット                  ８４  固定ボルト
８６  上当て板                        ８８  外側挟持片
９３  当接片部                      １０１  外側ブラケット
１０２  外側挟持片                    １０３  内側挟持片
１０４  ボルト・ナット                １０６  下当て板
１０７  固定ボルト                    １１２  当接片部
１２１  外側ブラケット                １２２  内側挟持片
１２３  ボルト・ナット                １２４  固定ボルト
１２５  縦当て板                      １２６  アンカーボルト
Ａ  庇                                Ｂ  開口部
Ｃ  コンクリート躯体                  Ｓ  既設窓枠
【図１】
0003549438.tif 000002
【図２】
0003549438.tif 000003
【図３】
0003549438.tif 000004
【図４】
0003549438.tif 000005
【図５】
0003549438.tif 000006
【図６】
0003549438.tif 000007
【図７】
0003549438.tif 000008
【図８】
0003549438.tif 000009